(57)【要約】【課題】パイプに差し込まれたポールが容易に抜け出すことがなく、またパイプからポールを取り外したい場合は、簡単な操作で外すことができる抜け止め器具を提供する。【解決手段】本発明の抜け止め器具は、パイプＡを挿通させるパイプ用孔５を有するパイプ支持部２と、ポールＢを挿通させるポール用孔６を有し、パイプ支持部２に対向するポール支持部３と、パイプ支持部２の一端部とポール支持部３の一端部に連結するとともに、パイプ支持部２の他端部とポール支持部３の他端部が相互に離反する向きに弾性力を発現させる弾性連結部４と、を備える。【選択図】図１
2020183796.tif 000002
【特許請求の範囲】
【請求項１】
パイプに差し込まれたポールの抜け出しを防止する抜け止め器具であって、
前記パイプを挿通させるパイプ用孔を有するパイプ支持部と、
前記ポールを挿通させるポール用孔を有し、前記パイプ支持部に対向するポール支持部と、
前記パイプ支持部の一端部と前記ポール支持部の一端部に連結するとともに、該パイプ支持部の他端部と該ポール支持部の他端部が相互に離反する向きに弾性力を発現させる弾性連結部と、を備える抜け止め器具。
【請求項２】
前記弾性連結部は、板状部材を折り曲げた又は撓ませたものである請求項１に記載の抜け止め器具。
【請求項３】
前記弾性連結部は、前記パイプ支持部の一端部及び前記ポール支持部の一端部の何れか一方に設けられた軸部と、該パイプ支持部の一端部及び該ポール支持部の一端部の何れか他方に設けられ、該軸部を回転可能に支持する軸穴部と、該パイプ支持部の他端部と該ポール支持部の他端部とが相互に離反する向きに回転するよう弾性力を発現させる弾性部と、を有する請求項１に記載の抜け止め器具。
【発明の詳細な説明】
【技術分野】
【０００１】
本発明は、パイプに差し込まれたポールの抜け出しを防止する抜け止め器具に関する。
【背景技術】
【０００２】
従来、パイプにポールを差し込むことによってこれを支持するものがある。例えば店舗の前や店舗に隣接する駐車場では、店舗の名前や各種の案内、商品やサービスに関する宣伝等が示された縦長ののぼり旗や横長の旗等がポールに取り付けられ、このポールを、地中に埋め込んだり、構造物に縛り付けたりしたパイプに差し込んで支持する構造が使用されている（例えば特許文献１参照）。また、重量のある土台にパイプを一体的に設け、このパイプにポールを挿入するとともにポールに取り付けたナットを回転させることによって、ポールをパイプに固定させるものもある（例えば特許文献２参照）
【先行技術文献】
【特許文献】
【０００３】
【特許文献１】特開２００１−２１５９０８号公報
【特許文献２】特開平８−１２３３４７号公報
【発明の概要】
【発明が解決しようとする課題】
【０００４】
ところで、特許文献１のようにパイプにポールを差し込むものにおいては、強風によってのぼり旗等が煽られると、ポールがパイプから抜け出して、のぼり旗等とともに遠くまで飛んでいくことがあった。一方、このような不具合を防止するべく、差し込んだポールをパイプに縛り付けることも行われているが、この場合は取り外し及び取り付けが不便になるため、のぼり旗に示されている内容が古くなってもそのままの状態で放置されがちであった。
【０００５】
また特許文献２に示されたものにおいては、土台のパイプからポールが抜け出すことはないものの、強風によってのぼり旗等が煽られた際には、土台も一緒に倒れてしまうことがあった。また、のぼり旗の取り外し及び取り付けを行うにはナットを緩めたり締め付けたりしなければならず、作業に手間を要していた。
【０００６】
本発明はこのような問題点を解決することを課題とするものであって、パイプに差し込まれたポールが容易に抜け出すことがなく、またパイプからポールを取り外したい場合は、簡単な操作で外すことができる抜け止め器具を提案することを目的とする。
【課題を解決するための手段】
【０００７】
本発明は、パイプに差し込まれたポールの抜け出しを防止する抜け止め器具であって、前記パイプを挿通させるパイプ用孔を有するパイプ支持部と、前記ポールを挿通させるポール用孔を有し、前記パイプ支持部に対向するポール支持部と、前記パイプ支持部の一端部と前記ポール支持部の一端部に連結するとともに、該パイプ支持部の他端部と該ポール支持部の他端部が相互に離反する向きに弾性力を発現させる弾性連結部と、を備える抜け止め器具である。
【０００８】
ここで前記弾性連結部は、板状部材を折り曲げた又は撓ませたものであることが好ましい。
【０００９】
また前記弾性連結部は、前記パイプ支持部の一端部及び前記ポール支持部の一端部の何れか一方に設けられた軸部と、該パイプ支持部の一端部及び該ポール支持部の一端部の何れか他方に設けられ、該軸部を回転可能に支持する軸穴部と、該パイプ支持部の他端部と該ポール支持部の他端部とが相互に離反する向きに回転するよう弾性力を発現させる弾性部と、を有することが好ましい。
【発明の効果】
【００１０】
本発明における抜け止め器具によれば、弾性連結部の弾性力でもって、パイプを挿通させたパイプ支持部の他端部とポールを挿通させたポール支持部の他端部とを相互に離反させることができ、これによってパイプに対してポールを強固に抜け止め保持することができる。一方、パイプからポールを取り外したい場合は、例えば片方の手でパイプ支持部とポール支持部とに指を掛け、弾性連結部の弾性力に逆らって力を加えればよく、簡単な操作でパイプからポールを取り外すことができる。
【図面の簡単な説明】
【００１１】
【図１】本発明に従う抜け止め器具の第一実施形態を示す図であって、（ａ）は側方視の断面図であり、（ｂ）は抜け止め器具として折り曲げる前の状態での平面図であり、（ｃ）は（ｂ）の断面図であり、（ｄ）はパイプとポールの間に取り付けた状態を示す図であり、（ｅ）はポールに保持された状態を示す図である。
【図２】本発明に従う抜け止め器具の第二実施形態を示す図であって、（ａ）は平面図であり、（ｂ）は側方視での断面図であり、（ｃ）はパイプとポールの間に取り付けた状態を示す図である。
【図３】本発明に従う抜け止め器具の更に他の実施形態を示す図であって、（ａ）は第三実施形態の抜け止め器具をパイプとポールの間に取り付けた状態を示す図であり、（ｂ）は第四実施形態の抜け止め器具をパイプとポールの間に取り付けた状態を示す図である。
【発明を実施するための形態】
【００１２】
以下、本発明に従う抜け止め器具に関し、その具体的な実施形態を添付した図面を参照しながら説明する。
【００１３】
図１は、本発明に従う抜け止め器具の第一実施形態を示している。本実施形態の抜け止め器具１は、図１（ａ）に示すように、パイプ支持部２と、ポール支持部３と、パイプ支持部２における一端部とポール支持部３における一端部とを連結する弾性連結部４とを備えていて、側面視で「く」字状になるものである。抜け止め器具１は、図１（ｄ）に示すようにパイプＡとポールＢの間に取り付けられる。なお抜け止め器具１は、パイプＡとポールＢの間に取り付けられる前においては、図１（ｄ）において仮想線で示す状態にある。
【００１４】
抜け止め器具１は、図１（ｂ）、（ｃ）に示すような、平面視で概略矩形状に形成された板状部材を準備し、これを２つに折り曲げて形成されている。本実施形態においては、アクリル樹脂や塩化ビニル樹脂等の合成樹脂板を折り曲げて抜け止め器具１を形成している。なお、薄手の金属板を折り曲げることによって抜け止め器具１としてもよい。また、各種のゴム（硬質ゴム等）を使用して抜け止め器具１としてもよい。
【００１５】
パイプ支持部２には、平面視で円形をなすとともに板厚方向にパイプ支持部２を貫く孔（パイプ用孔５）が設けられている。またポール支持部３には、平面視で円形をなすとともに板厚方向にポール支持部３を貫く孔（ポール用孔６）が設けられている。パイプ用孔５の内径は、パイプＡの外径よりもやや大きく形成され、ポール用孔６の内径は、ポールＢの外径よりもやや大きく形成されている。またポール用孔６の内径は、パイプＡの外径よりも小さくなっている。
【００１６】
このような構成になる本実施形態の抜け止め器具１は、図１（ｄ）に示すようにして使用される。図１（ｄ）は、地中に埋め込まれた円筒状のパイプＡと、円柱状であって長尺のポールＢとの間に、抜け止め器具１を取り付けた状態を示している。なおポールＢには、のぼり旗Ｃが取り付けられている。
【００１７】
ここで、抜け止め器具１をパイプＡとポールＢとの間に取り付ける方法の一例について説明する。まず、パイプＡにポールＢを差し込む前に、パイプ用孔５にパイプＡを挿入しておく。なお上述したように、ポール用孔６の内径は、パイプＡの外径よりも小さくなっているため、ポール用孔６にパイプＡが挿通されることはなく、抜け止め器具１が逆向きに取り付けられることはない。なおこの状態において抜け止め器具１におけるポール支持部３は、図１（ｄ）に仮想線で示す状態にあって、ポール用孔６は、パイプＡの直上からずれた位置にある。そして、ポール用孔６にポールＢを挿入しつつ、例えば片方の手でパイプ支持部２とポール支持部３とに指を掛けて、ポール支持部３の他端部がパイプ支持部２の他端部に近づくように力を加える。その結果、ポール用孔６はパイプＡの直上に向けて移動していき、直上に差し掛かったところでポールＢはパイプＡに差し込まれる。
【００１８】
その後、抜け止め器具１に加えていた力を緩めると、抜け止め器具１は、その弾性でもってポール支持部３の他端部とパイプ支持部２の他端部が離反するように開くことになる。これにより、パイプ用孔５の縁部がパイプＡの外周面に強く押し当たるとともに、ポール用孔６の縁部がポールＢの外周面に強く押し当たる結果、パイプＡの内周面とポールＢの外周面に強く押し当たるため、ポールＢに対してパイプＡを強固に抜け止め保持することができる（この状態についてより詳細に説明すると、図１（ｄ）に示すようにパイプ用孔５の上縁部５ａと下縁部５ｂがパイプＡの外周面に強く押し当たるとともに、ポール用孔６の上縁部６ａと下縁部６ｂがポールＢの外周面に強く押し当たっていて、ポールＢは、パイプＡに対して若干斜めになるようにして、パイプＡの開口における内周面に対して上側外周面Ｂ１が強く押し当たり、下端外周面Ｂ２がパイプＡの下方における内周面に強く押し当たっている）。従って、強風によってのぼり旗Ｃが煽られても、ポールＢがパイプＡから抜け出す不具合を防止することができる。
【００１９】
パイプＡからポールＢを取り外すには、例えば片方の手でパイプ支持部２とポール支持部３とに指を掛けて、パイプ支持部２の他端部とポール支持部３の他端部が近づくように力を加えればよい。これにより、パイプＡとポールＢとの押し当たりが解除されるため、パイプＡからポールＢを引き抜くことができる。
【００２０】
なお、パイプＡからポールＢを引き抜く際、抜け止め器具１をパイプＡやポールＢから取り外してもよいが、ポールＢをパイプＡから引き抜くのに合わせて抜け止め器具１もパイプＡから引き抜くことにより、図１（ｅ）のようにポールＢに保持させることができる。すなわち、ポールＢとともに抜け止め器具１をパイプＡから引き抜くと、抜け止め器具１は、ポール用孔６とパイプ用孔５の両方がポールＢに挿通された状態でパイプ支持部２の他端部とポール支持部３の他端部が離反するように開くことになる。このため、ポール用孔６とパイプ用孔５の縁部がポールＢの外周面に押し当たり、抜け止め器具１はポールＢに保持される。従って、取り外した抜け止め器具１を紛失してしまう等の不具合を防止することができる。またこのように抜け止め器具１をポールＢに保持させておくことによって、次にポールＢをパイプＡに取り付ける際は、ポールＢをパイプＡに差し込みつつ、例えば片方の手でパイプ支持部２の他端部とポール支持部３の他端部が近づくように力を加えることによって、パイプ用孔５にパイプＡを挿通させることができる。これにより、再び図１（ｄ）のように、パイプＡとポールＢとの間に抜け止め器具１を取り付けることができる。
【００２１】
次に、図２を参照しながら本発明に従う抜け止め器具の第二実施形態について説明する。本実施形態の抜け止め器具１１は、平面視において概略矩形状をなす板状のパイプ支持部１２と、パイプ支持部１２と同様の形状になるポール支持部１３を備えている。また、パイプ支持部１２とポール支持部１３は、それらの一端部同士をつなぐ弾性連結部１４によって一体に連結している。またパイプ支持部１２には、前述のパイプ用孔５と同様の形状になるパイプ用孔１５が設けられていて、ポール支持部１３には、前述のポール用孔６と同様の形状になるポール用孔１６が設けられている。
【００２２】
このようなパイプ支持部１２とポール支持部１３は、例えば合成樹脂板や木板、金属板、各種のゴム（硬質ゴム等）で形成される。
【００２３】
また弾性連結部１４は、パイプ支持部１２の一端部とポール支持部１３の一端部とを連結するとともに、パイプ支持部１２の他端部とポール支持部１３の他端部とが相互に離反する向きに弾性力を発現させるものであり、本実施形態ではバネ丁番を使用している。詳細な説明は省略するが、バネ丁番は、円柱状に設けられた軸部と、円筒状に設けられて軸部を回転可能に支持する軸穴部とを備えていて、軸部につながる板状部分が、パイプ支持部１２の一端部及びポール支持部１３の一端部の何れが一方に固定され、軸穴部につながる板状部分が、パイプ支持部１２の一端部及びポール支持部１３の一端部の何れが他方に固定さえる。なお、パイプ支持部１２とポール支持部１３に対して板状部分を固定するには、例えばビスを使用してもよいし接着剤を使用してもよく、またその他の固定手段を採用してもよい。更にこのバネ丁番は、コイル状をなしていて、軸孔部に対して軸部が相対的に回転するように弾性力を作用させる弾性部も有している。この弾性部によって抜け止め器具１１は、パイプ支持部１２の他端部とポール支持部１３の他端部とが相互に離反する向きに回転し、通常時は図２（ａ）、（ｂ）のように、パイプ支持部１２とポール支持部１３が相互に反対側に位置する状態にある。
【００２４】
このような抜け止め器具１１においても、図２（ｃ）に示すように、弾性連結部１４を基点にパイプ支持部１２とポール支持部１３とを回転させて側面視で「く」字状とし、上述した第一実施形態と同様の手順でパイプＡとポールＢとの間に取り付けることができる。パイプＡとポールＢとの間に取り付けた抜け止め器具１１においても、弾性連結部１４によってパイプ支持部１２とポール支持部１３が離反するように開こうとするため、ポールＢに対してパイプＡを強固に抜け止め保持することができる。従って、強風によってのぼり旗Ｃが煽られても、ポールＢがパイプＡから抜け出す不具合を防止することができる。
【００２５】
また抜け止め器具１１においても、パイプ支持部１２の他端部とポール支持部１３の他端部が近づくように力を加えれば、パイプＡからポールＢを引き抜くことができる。
【００２６】
本発明に従う抜け止め器具は、図３に示す如きものでも具現化される。図３（ａ）は、本発明に従う抜け止め器具の第三実施形態を示している。本実施形態の抜け止め器具２１は、図１（ｂ）、（ｃ）に示した抜け止め器具１と同様の形状になる板状部材を硬質ゴムで形成したものである。抜け止め器具２１は、パイプＡを支持するためのパイプ支持部２２と、ポールＢを支持するためのポール支持部２３と、パイプ支持部２２の一端部とポール支持部２３の一端部を連結する弾性連結部２４とを備えていて、側面視で「Ｃ」字状になるものである。またパイプ支持部２２には、前述のパイプ用孔５と同様の形状になるパイプ用孔２５が設けられていて、ポール支持部２３には、前述のポール用孔６と同様の形状になるポール用孔２６が設けられている。
【００２７】
このような抜け止め器具２１においては、上述した板状部材を中間部で撓ませつつ、パイプ用孔２５にパイプＡを挿通させ、ポール用孔２６にポールＢを挿通させることにより、図３（ａ）のようにしてパイプＡとポールＢとの間に取り付けることができる。パイプＡとポールＢとの間に取り付けた抜け止め器具２１においても、弾性連結部２４によってパイプ支持部２２とポール支持部２３が離反するように開こうとするため、ポールＢに対してパイプＡを強固に抜け止め保持することができる。従って、強風によってのぼり旗Ｃが煽られても、ポールＢがパイプＡから抜け出す不具合を防止することができる。また抜け止め器具２１においても、パイプ支持部２２の他端部とポール支持部２３の他端部が近づくように力を加えれば、パイプＡからポールＢを引き抜くことができる。
【００２８】
図３（ｂ）は、本発明に従う抜け止め器具の第四実施形態を示している。本実施形態の抜け止め器具３１は、図２（ａ）、（ｂ）に示した如き、平面視において概略矩形状をなす板状のパイプ支持部３２と、パイプ支持部３２と同様の形状になるポール支持部３３を備えている。また、パイプ支持部３２とポール支持部３３は、それらの一端部同士をつなぐ弾性連結部３４によって一体に連結している。またパイプ支持部３２には、前述のパイプ用孔５と同様の形状になるパイプ用孔３５が設けられていて、ポール支持部３３には、前述のポール用孔６と同様の形状になるポール用孔３６が設けられている。
【００２９】
そしてパイプ支持部３２とポール支持部３３は、例えば合成樹脂板や木板、金属板で形成される。また弾性連結部３４は、例えば硬質ゴムで形成される。
【００３０】
このような抜け止め器具３１においては、弾性連結部３４を撓ませつつ、パイプ用孔３５にパイプＡを挿通させ、ポール用孔３６にポールＢを挿通させることにより、図３（ｂ）のようにしてパイプＡとポールＢとの間に取り付けることができる。パイプＡとポールＢとの間に取り付けた抜け止め器具３１においても、弾性連結部３４によってパイプ支持部３２とポール支持部３３が離反するように開こうとするため、ポールＢに対してパイプＡを強固に抜け止め保持することができる。また抜け止め器具３１においても、パイプ支持部３２の他端部とポール支持部３３の他端部が近づくように力を加えれば、パイプＡからポールＢを引き抜くことができる。
【００３１】
以上、本発明に従う抜け止め器具ついて具体的な実施形態を示しながら説明したが、本発明は上述した実施形態に限られるものではなく、特許請求の範囲に従う範疇で種々の変更を加えたものも含まれる。例えば上述した実施形態で挙げた各部を形成する材料は、抜け止め器具の機能を果たす任意のものが採用可能である。また各部及び全体の形状も、上述した実施形態に限定されるものではない。また、弾性連結部の構造も種々のものが採用可能であって、パイプ支持部の他端部とポール支持部の他端部とを相互に離反させるように弾性力を発現させるものであればよく、例えばトーションバネやコイルバネでその機能を果たすようにしてもよい。
【００３２】
また上述した実施形態の抜け止め器具に対し、その機能を高めるために更に構成部材を追加してもよい。例えば、図１（ｄ）に示す抜け止め器具１において、パイプＡに対してパイプ支持部２が滑ってしまうおそれがある場合は、例えば輪状のゴムをパイプＡに通しておき、抜け止め器具１をパイプＡに取り付けた後にこのゴムをパイプ支持部２の他端部に引っ掛けることにより、ゴムの抵抗でパイプＡとパイプ支持部２との滑りを防止するようにしてもよい。またパイプＡに対してパイプ支持部２が動かないように固着しても（例えばパイプＡとパイプ支持部２とを紐等で縛る、パイプＡとパイプ支持部２とを別異の固定具で固定する等）よい。また、例えばパイプ支持部２とポール支持部３を合成樹脂で形成する場合は、パイプ用孔５やポール用孔６の縁部に各種のゴムを取り付けることによって、パイプ用孔５やポール用孔６の縁部が削れてしまう不具合を防止することができる。また、このような各種のゴムにより、パイプＡやポールＢに対する滑りも抑制することができる。
【符号の説明】
【００３３】
１、１１、２１、３１：抜け止め器具
２、１２、２２、３２：パイプ支持部
３、１３、２３、３３：ポール支持部
４、１４、２４、３４：弾性連結部
５、１５、２５、３５：パイプ用孔
６、１６、２６、３６：ポール用孔
Ａ：パイプ
Ｂ：ポール
Ｃ：のぼり旗
【図１】
2020183796.tif 000003
【図２】
2020183796.tif 000004
【図３】
2020183796.tif 000005
【手続補正書】
【提出日】令和1年6月25日(2019.6.25)
【手続補正１】
【補正対象書類名】特許請求の範囲
【補正対象項目名】全文
【補正方法】変更
【補正の内容】
【特許請求の範囲】
【請求項１】
パイプに差し込まれたポールの抜け出しを防止する抜け止め器具であって、
前記パイプを挿通させるパイプ用孔を有するパイプ支持部と、
前記ポールを挿通させるポール用孔を有し、前記パイプ支持部に対向するポール支持部と、
前記パイプ支持部の一端部と前記ポール支持部の一端部に連結するとともに、該パイプ支持部の他端部と該ポール支持部の他端部が相互に離反する向きに弾性力を発現させる弾性連結部と、を備え、
前記パイプと前記ポールの間に取り付けられた状態において、前記パイプ用孔の上縁部と下縁部が該パイプの外周面に押し当たるとともに、前記ポール用孔の上縁部と下縁部が該ポールの外周面に押し当たる抜け止め器具。
【請求項２】
前記弾性連結部は、板状部材を折り曲げた又は撓ませたものである請求項１に記載の抜け止め器具。
【請求項３】
前記弾性連結部は、前記パイプ支持部の一端部及び前記ポール支持部の一端部の何れか一方に設けられた軸部と、該パイプ支持部の一端部及び該ポール支持部の一端部の何れか他方に設けられ、該軸部を回転可能に支持する軸穴部と、該パイプ支持部の他端部と該ポール支持部の他端部とが相互に離反する向きに回転するよう弾性力を発現させる弾性部と、を有する請求項１に記載の抜け止め器具。
【手続補正２】
【補正対象書類名】明細書
【補正対象項目名】０００７
【補正方法】変更
【補正の内容】
【０００７】
本発明は、パイプに差し込まれたポールの抜け出しを防止する抜け止め器具であって、前記パイプを挿通させるパイプ用孔を有するパイプ支持部と、前記ポールを挿通させるポール用孔を有し、前記パイプ支持部に対向するポール支持部と、前記パイプ支持部の一端部と前記ポール支持部の一端部に連結するとともに、該パイプ支持部の他端部と該ポール支持部の他端部が相互に離反する向きに弾性力を発現させる弾性連結部と、を備え、前記パイプと前記ポールの間に取り付けられた状態において、前記パイプ用孔の上縁部と下縁部が該パイプの外周面に押し当たるとともに、前記ポール用孔の上縁部と下縁部が該ポールの外周面に押し当たる抜け止め器具である。